(57)【特許請求の範囲】
【請求項１】
光学フィルムの一方の面に粘着層を有する粘着型光学フィルムの当該粘着層に離型シートが付設されているか、または光学フィルムのもう一方の面に粘着剤付き保護フィルムが付設されている光学部材であって、前記粘着型光学フィルムの形状は四角形であり、その一辺の長さが２０〜５００ｍｍであり、前記付設されている離型シートまたは粘着剤付き保護フィルムのサイズが、粘着型光学フィルムの周縁部の一部または全部において粘着型光学フィルムのサイズを０．０５〜１ｍｍ未満の巾で超過することを特徴とする光学部材。
【請求項２】
光学フィルムの一方の面に粘着層を有する粘着型光学フィルムの当該粘着層に離型シートが付設されており、かつ光学フィルムのもう一方の面には粘着剤付き保護フィルムが付設されている光学部材であって、前記粘着型光学フィルムの形状は四角形であり、その一辺の長さが２０〜５００ｍｍであり、前記離型シートおよび粘着剤付き保護フィルムのいずれか少なくとも一方のサイズが、粘着型光学フィルムの周縁部の一部または全部において粘着型光学フィルムのサイズを０．０５〜１ｍｍ未満の巾で超過することを特徴とする光学部材。
【請求項３】
四角形である粘着型光学フィルムの少なくとも二辺において、前記粘着型光学フィルムのサイズを超過する離型シートおよび／または粘着剤付き保護フィルムが、粘着型光学フィルムのサイズを超過していることを特徴とする請求項１または２記載の光学部材。
【発明の詳細な説明】
【０００１】
【発明の属する技術分野】
本発明は、光学フィルムの一方の面に粘着層を有する粘着型光学フィルムに離型シートおよび／または他の面に粘着剤付き保護フィルムが付設されている光学部材に関する。前記光学部材を構成する光学フィルムとしては、偏光フィルム、位相差フィルム、光学補償フィルム、輝度向上フィルム、防眩シートまたはこれらが複数積層されているものがあげられ、光学フィルムは粘着型光学フィルムとして液晶表示装置等に用いられる。
【０００２】
【従来の技術】
液晶ディスプレイは、その画像形成方式から液晶パネルの最表面を形成するガラス基板の両側に偏光素子を配置することが必要不可欠であり、一般的には偏光フィルムが液晶パネルの最表面に貼着されている。また液晶パネルの最表面には偏光フィルムの他に、ディスプレイの表示品位を向上させるために様々な光学素子が用いられるようになってきている。例えば、着色防止としての位相差フィルム、液晶ディスプレイの視野角を改善するための視野角拡大フィルム、さらにはディスプレイのコントラストを高めるための輝度向上フィルム等が用いられる。これらのフィルムは総称して光学フィルムと呼ばれる。
【０００３】
前記光学フィルムを液晶パネルの最表面に貼着する際には、通常、粘着剤が使用される。また、光学フィルムを液晶パネルの最表面に瞬時に固定できること、光学フィルムを固着させるのに乾燥工程を必要としないこと等のメリットを有することから、粘着剤は、光学フィルムの片面に予め粘着層として設けられている。すなわち、液晶パネルの最表面への光学フィルムの貼着には粘着型光学フィルムが一般的に用いられる。かかる粘着型光学フィルムの粘着層には、液晶パネルへの光学フィルムを貼着するまで、その保護のために離型シートが付設されている。一方、液晶ディスプレイ表面となる光学フィルム表面には、液晶セルを組み立てるまでの間、光学フィルム表面を保護するために保護フィルムが貼り付けられている。
【０００４】
前記の通り粘着型光学フィルムは、粘着層面には離型シートが付設され、もう一方の面には保護フィルムが設けられた光学部材として用いられる。当該光学部材は各種用途に応じて各種用途に応じた形状、大きさに切断される。かかる光学部材は、従来、図４に示すように、光学フィルム１とその粘着層２からなる粘着型光学フィルム、離型シート３、粘着剤付き保護フィルム４の全てが同一の寸法で切断されていた。
【０００５】
前記光学部材は、通常、それらを積層して保存する。しかし、光学部材が同一寸法である場合には光学部材同士間の密着性が強くなり、積層状態で光学部材がブロッキングする問題がある。そのため、パネルの貼り付けに際して、光学部材を積層状態から１枚ずつを取り出す際に、下方に積層してある光学部材を一緒に持ち上げてしまい（重ね取り）場合があり、連続的な生産に支障がでるおそれがある。また、離型シート、粘着剤付き保護フィルムは粘着型光学フィルムから最終的には剥離されるが、光学部材のすべてが同一寸法であると、その剥離が重くなり（重剥離）、剥離できない等の問題もある。さらには、同一の寸法で切断された前記光学部材は、その切断側面において粘着層が露出しているため、光学部材の積層時や搬送時に、粘着層から粘着剤がはみ出す糊汚れや糊欠損を生じるおそれがある。
【０００６】
【発明が解決しようとする課題】
本発明は、光学フィルムの一方の面に粘着層を有する粘着型光学フィルムに離型シートおよび／または他の面に粘着剤付き保護フィルムが付設されている光学部材であって、ブロッキング性の問題がなく、剥離性も良好な光学部材を提供することを目的とする。さらには、粘着層による糊汚れや糊欠損等のない光学部材を提供することを目的とする。
【０００７】
【課題を解決するための手段】
本発明者らは前記課題を解決すべく鋭意検討を重ねた結果、以下に示す光学部材により上記目的を達成できることを見出し、本発明を完成するに至った。
【０００８】
すなわち、本発明は、光学フィルムの一方の面に粘着層を有する粘着型光学フィルムの当該粘着層に離型シートが付設されているか、または光学フィルムのもう一方の面に粘着剤付き保護フィルムが付設されている光学部材であって、前記粘着型光学フィルムの形状は四角形であり、その一辺の長さが２０〜５００ｍｍであり、前記付設されている離型シートまたは粘着剤付き保護フィルムのサイズが、粘着型光学フィルムの周縁部の一部または全部において粘着型光学フィルムのサイズを０．０５〜１ｍｍ未満の巾で超過することを特徴とする光学部材、に関する。
【０００９】
また本発明は、光学フィルムの一方の面に粘着層を有する粘着型光学フィルムの当該粘着層に離型シートが付設されており、かつ光学フィルムのもう一方の面には粘着剤付き保護フィルムが付設されている光学部材であって、前記粘着型光学フィルムの形状は四角形であり、その一辺の長さが２０〜５００ｍｍであり、前記離型シートおよび粘着剤付き保護フィルムのいずれか少なくとも一方のサイズが、粘着型光学フィルムの周縁部の一部または全部において粘着型光学フィルムのサイズを０．０５〜１ｍｍ未満の巾で超過することを特徴とする光学部材、に関する。
【００１０】
上記本発明の光学部材では、粘着層を保護するために付設した離型シートおよび／または光学フィルム表面を保護するために付設した粘着剤付き保護フィルムのサイズが、粘着型光学フィルムのサイズを超えており、粘着型光学フィルムと離型シートおよび／または粘着剤付き保護フィルムの端部が同位置にない。そのため、光学部材を積層した場合にも密着性が弱まってブロッキングが抑えられ、パネルへの貼り付けの際には、積層した光学部材からの重ね取りを防止することができる。また、粘着型光学フィルムのサイズよりも離型シートおよび／または粘着剤付き保護フィルムのサイズが大きいため、表面密着性が弱まり、その剥離性が良好であり重剥離の問題もない。さらには、離型シートを超過サイズとしている場合には、これにより粘着層の切断側面における露出による糊汚れ、糊欠損が抑えられ良好な表面汚れ防止性を示す。粘着層による表面汚れ防止性を防止するには粘着型光学フィルムの周縁部の全部において、離型シートを粘着型光学フィルムの超過サイズとするのが好適である。
【００１１】
前記光学部材において、前記粘着型光学フィルムのサイズを超過する離型シートおよび／または粘着剤付き保護フィルムのサイズが、粘着型光学フィルムの周縁部の一部または全部において、粘着型光学フィルムのサイズを０．０５〜５ｍｍ巾で超過することが好ましい。
【００１２】
粘着型光学フィルムのサイズ、形状は、各種用途に応じて決定され、また離型シート、粘着剤付き保護フィルムの超過サイズも各種用途に応じて適宜に決定されるが、一般的に、ブロッキング性、剥離性、表面汚れ防止性を効果的に奏するには、離型シート、粘着剤付き保護フィルムの超過サイズは、０．０５ｍｍ以上、さらには０. ５ｍｍ以上とするのが好適である。一方、付着沈降異物防止、製品取扱いによる露出部のめくれの点から離型シート、粘着剤付き保護フィルムの超過サイズは、５ｍｍ以下、さらには１ｍｍ以下とするのが好適である。
【００１３】
前記光学部材において、粘着型光学フィルムが四角形であり、当該四角形の少なくとも二辺において、前記粘着型光学フィルムのサイズを超過する離型シートおよび／または粘着剤付き保護フィルムが、粘着型光学フィルムのサイズを超過していることが好ましい一態様である。
【００１４】
液晶表示層等に用いられる粘着型光学フィルムは、通常、液晶表示層等に合わせて四角形とする。その場合には、四角形の少なくとも１部（たとえば一辺）において離型シート、粘着剤付き保護フィルムが超過サイズであればよいが、二辺において超過サイズを有する場合が、液晶パネル貼付けラインの搬送時における糊欠損防止の点から好ましい。二辺は、対辺に設けるのが搬送ラインに適合する点で好適である。離型シート、粘着剤付き保護フィルムは四角形の三辺を超過サイズとした場合にも二辺と同様の効果を奏する。四辺において超過サイズとした場合には、糊汚れを極小に抑えることができ、はみ出した糊によって光学フィルム積層物に糊打痕が残ることを極力防止できる。
【００１５】
【発明の実施の形態】
以下に、本発明の光学部材を図面を参照しながら説明する。本発明の光学部材は、たとえば、図１〜図３に示される。図１〜図３は、光学フィルム１とその粘着層２からなる粘着型光学フィルムの粘着層２に離型シート３が付設され、光学フィルム１の粘着層２の設けられていない面には粘着剤付き保護フィルム４が付設されている光学部材の側面図である。図１〜図３では、離型シート３と粘着剤付き保護フィルム４を付設した場合を例示しているが、離型シート３と粘着剤付き保護フィルム４は粘着型光学フィルムのサイズを超過するものをいずれか一方にのみ設けたものであってもよい。
【００１６】
図１は離型シート３のサイズが粘着型光学フィルムのサイズを超過している例であり、図２は粘着剤付き保護フィルム４のサイズが粘着型光学フィルムのサイズを超過している例であり、図３は離型シート３と粘着剤付き保護フィルム４の両者のサイズが粘着型光学フィルムのサイズを超過している例である。なお、図１〜図３においてａは、離型シート３および／または粘着剤付き保護フィルム４の超過サイズであり、少なくとも対辺の二辺に超過サイズを有する例である。
【００１７】
図５は、図１の上面図の一例であり、離型シート３は四辺において超過サイズａを有する。なお、超過サイズａは、粘着型光学フィルムの用いられる各種用途に応じて決定されるが、前記の通り、０．０５〜５ｍｍ程度であるのが好適である。特に、粘着型光学フィルムの形状が、四角形であり、その一辺の長さが２０〜５００ｍｍ程度である場合に前記超過サイズであるのが好ましい。なお、超過サイズａは、全てにおいて同一巾であってもよく、同一巾でなくてもよい。
【００１８】
本発明の光学部材は、離型シートおよび／または粘着剤付き保護フィルムのサイズが粘着型光学フィルムのサイズを超過しているものであればその製造法は特に制限されないが、たとえば、図６に示すトムソンプレス刃型を用いて光学部材を打ち抜くことにより行うことができる。従来、トムソンプレス刃型としては、図７に示すように木型１０に外形抜き刃１１のみを有するものを用いていた。そのため、得られる光学部材の構成材料は全てが図４に示すように同一の寸法で切断されていた。これに対し、本発明の光学部材の製造には、図６に示すように木型１０に外形抜き刃１１と内形抜き刃１２を用いたものを用いる。内形抜き刃１２の設置個所を適宜に調整することにより、離型シートおよび／または粘着剤付き保護フィルムの超過サイズおよび超過サイズとなる部分を決定することができる。図６のトムソンプレス刃型によれば、周縁全部（四辺全部）に超過サイズを有する本発明の光学部材が得られる。図６におけるａは、前記超過サイズを調整する巾であり、ｂは超過サイズとなる離型シートおよび／または粘着剤付き保護フィルムの厚さに合わせて、トムソンプレスの打ち抜きストローク（距離）によりそれらが切断されないように調整される。
【００１９】
前記図１に示す光学部材は、図６に示すトムソンプレス刃型に、打ち抜き前の光学部材を離型シート３が上向きとなるように設置し、プレスした後、外形抜き刃１１と内形抜き刃１２の間の粘着剤付き保護フィルム４と粘着型光学フィルムを除去することにより得られる。前記図２に示す光学部材は、図６に示すトムソンプレス刃型に、打ち抜き前の光学部材を粘着剤付き保護フィルム４が上向きとなるように設置し、プレスした後、外形抜き刃１１と内形抜き刃１２の間の離型シート３と粘着型光学フィルムを除去することにより得られる。なお、図２では、粘着剤付き保護フィルム（保護フィルムの粘着剤層を含むもの）が超過サイズとなる場合を例示しているが、粘着剤付き保護フィルムの保護フィルムのみについて超過サイズとなるように切断することもできる。また図３に示す光学部材は図１に示す光学部材から粘着剤付き保護フィルム４を剥がし、別途作製しておいて光学フィルム１より大きなサイズの粘着剤付き保護フィルム４に貼り替えることにより得られる。
【００２０】
前記本発明の光学部材を構成する材料は以下の通りである。
【００２１】
（光学フィルム）
光学フィルム１としては液晶表示装置等の形成に用いられるものが使用され、その種類は特に制限されない。たとえば、光学フィルムとしては偏光フィルム、の他に楕円偏光フィルム、光学補償機能を有する偏光フィルム、視角拡大機能を有する偏光フィルム、輝度向上機能を有する偏光フィルムなどが挙げられる。これらは偏光フィルムに位相差フィルム、光学補償フィルム、輝度向上フィルムまたは防眩シート等が積層されている。
【００２２】
偏光フィルムを構成する偏光子としては、特に制限されず、各種のものを使用できる。偏光子としては、たとえば、ポリビニルアルコール系フィルムや部分ホルマール化ポリビニルアルコール系フィルム、エチレン・酢酸ビニル共重合体系部分ケン化フィルムの如き親水性高分子フィルムにヨウ素や二色性染料等の二色性物質を吸着させて延伸したもの、ポリビニルアルコールの脱水処理物やポリ塩化ビニルの脱塩酸処理物の如きポリエン系配向フィルム等があげられる。偏光子の厚さも特に制限されないが、５〜８０μｍ程度が一般的である。
【００２３】
前記偏光子の片面または両面には、透明保護層を耐水性等の目的で、ポリマーによる塗布層として、またはフィルムのラミネート層等として設ることができる。透明保護層を形成する、透明ポリマーまたはフィルム材料としては、適宜な透明材料を用いうるが、透明性や機械的強度、熱安定性や水分遮断性などに優れるものが好ましく用いられる。透明保護層の厚さは特に制限されないが、１０〜３００μｍ程度が一般的である。
【００２４】
前記透明保護層を形成する材料としては、例えばポリエチレンテレフタレートやポリエチレンナフタレート等のポリエステル系ポリマー、二酢酸セルロースや三酢酸セルロース等のセルロース系ポリマー、ポリメチルメタクリレート等のアクリル系ポリマー、ポリスチレンやアクリロニトリル・スチレン共重合体（ＡＳ樹脂）等のスチレン系ポリマー、ポリカーボネート系ポリマーなどがあげられる。また、ポリエチレン、ポリプロピレン、シクロ系ないしはノルボルネン構造を有するポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー、あるいは前記ポリマーのブレンド物なども前記透明保護層を形成するポリマーの例としてあげられる。
【００２５】
位相差フィルムとしては、高分子素材を一軸または二軸延伸処理してなる複屈折性フィルムや液晶ポリマーフィルムなどがあげられる。位相差フィルムの厚さも特に制限されないが、２０〜１５０μｍ程度が一般的である。位相差板は、二層以上の延伸フィルムの重畳体などとして形成して位相差等の光学特性を制御したものとして形成することもでき、着色防止や視角範囲の拡大等を目的に液晶セルの位相差を補償するためなどに偏光フィルムと積層してなる楕円偏光フィルムとして用いることもできる。
【００２６】
高分子素材としては、たとえば、ポリビニルアルコール、ポリビニルブチラール、ポリメチルビニルエーテル、ポリヒドロキシエチルアクリレート、ヒドロキシエチルセルロース、ヒドロキシプロピルセルロース、メチルセルロース、ポリカーボネート、ポリアリレート、ポリスルホン、ポリエチレンテレフタレート、ポリエチレンナフタレート、ポリエーテルスルホン、ポリフェニレンスルファイド、ポリフェニレンオキサイド、ポリアリルスルホン、ポリビニルアルコール、ポリアミド、ポリイミド、ポリオレフィン、ポリ塩化ビニル、セルロース系重合体、またはこれらの二元系、三元系各種共重合体、グラフト共重合体、ブレンド物などがあげられる。これら高分子素材は延伸等により配向物（延伸フィルム）となる。
【００２７】
液晶性ポリマーとしては、たとえば、液晶配向性を付与する共役性の直線状原子団（メソゲン）がポリマーの主鎖や側鎖に導入された主鎖型や側鎖型の各種のものなどがあげられる。主鎖型の液晶性ポリマーの具体例としては、屈曲性を付与するスペーサ部でメソゲン基を結合した構造の、例えばネマチック配向性のポリエステル系液晶性ポリマー、ディスコティックポリマーやコレステリックポリマーなどがあげられる。側鎖型の液晶性ポリマーの具体例としては、ポリシロキサン、ポリアクリレート、ポリメタクリレート又はポリマロネートを主鎖骨格とし、側鎖として共役性の原子団からなるスペーサ部を介してネマチック配向付与性のパラ置換環状化合物単位からなるメソゲン部を有するものなどがあげられる。これら液晶性ポリマーは、たとえば、ガラス板上に形成したポリイミドやポリビニルアルコール等の薄膜の表面をラビング処理したもの、酸化珪素を斜方蒸着したものなどの配向処理面上に液晶性ポリマーの溶液を展開して熱処理することにより行われる。
【００２８】
前記偏光フィルム、位相差フィルムは積層して用いることもでき反射型偏光フィルム、半透過層型偏光フィルム、偏光分離偏光フィルム等とすることができる。また、前記例示の光学フィルムは、光学補償フィルム、その他の各種視野角拡大フィルムとして使用することもでき、さらには光学フィルムとしては、輝度向上フィルム等があげられる。また偏光フィルムは、表面上に微細凹凸構造の反射層を設けて防眩シートとすることもできる。
【００２９】
（粘着層）
粘着層２を形成する粘着剤としては、ゴム系粘着剤、アクリル系粘着剤、シリコーン系粘着剤等の各種のものを例示できるが、これらのなかでもアクリル系粘着剤が好ましい。また、前記粘着剤には、ポリイソシアネート化合物、ポリアミン化合物、メラミン樹脂、尿素樹脂、エポキシ樹脂等の架橋剤を含有することができる。さらに、前記粘着剤には、必要に応じて、粘着付与剤、可塑剤、充填剤、酸化防止剤、紫外線吸収剤、シランカップリング剤を等を本発明の目的を逸脱しない範囲で各適宜に使用することもできる。
【００３０】
粘着層２の形成方法としては、特に制限されず、光学フィルム１に粘着剤（溶液）を塗布し乾燥する方法、粘着層２を設けた離型シート４を光学フィルム１に転写する方法等があげられる。粘着層２（乾燥膜厚）の厚さは特に限定されないが、１０〜４０μｍ程度とするのが好ましい。
【００３１】
（離型シート）
離型シート３の構成材料としては、紙、ポリエチレン、ポリプロピレン、ポリエチレンテレフタレート等の合成樹脂フィルム等があげられる。離型シート３の表面には、粘着層２からの剥離性を高めるため、必要に応じてシリコーン処理、長鎖アルキル処理、フッ素処理な剥離処理が施されていても良い。
【００３２】
（粘着剤付き保護フィルム）
粘着剤付き保護フィルム４は、基材フィルム４ａに、粘着層４ｂを形成したものであり、粘着層４ｂが光学フィルム１の表面に貼着される。基材フィルム４ａとしては、たとえば、ポリプロピレンやポリエステルなどの２軸延伸フィルムを好ましく用いることができる。基材フィルム４ａとなるプラスチックフィルムの厚みについては特に制限を受けるものではないが、好適には１０〜２００μｍ程度、特に２０〜５０μｍが好ましい。
【００３３】
基材フィルム４ａの片面に形成される粘着層４ｂを構成する粘着剤としては、アクリル系、合成ゴム系、ゴム系のいずれの粘着剤を使用することもできるが、組成により粘着力をコントロールし易いアクリル系粘着剤が望ましい。前記粘着剤は、架橋剤としては、ポリイソシアネート化合物、ポリアミン化合物、メラミン樹脂、尿素樹脂、エポキシ樹脂等の架橋剤を含有することができる。さらに、前記粘着剤には、必要に応じて、粘着付与剤、可塑剤、充填剤、酸化防止剤、紫外線吸収剤、シランカップリング剤を等を適宜に使用することもできる。粘着層４ｂの厚さ（乾燥膜厚）は、特に制限されないが、通常５〜５０μｍ程度、好ましくは５〜３０μｍである。
【図面の簡単な説明】
【図１】本発明の光学部材の一例の側面図である。
【図２】本発明の光学部材の一例の側面図である。
【図３】本発明の光学部材の一例の側面図である。
【図４】従来の光学部材の側面図である。
【図５】図１の光学部材の上面図である。
【図６】本発明の光学部材の製造に用いるトムソンプレス刃型の概略図である。
【図７】従来の光学部材の製造に用いるトムソンプレス刃型の概略図である。
【符号の説明】
１  光学フィルム
２  粘着層
３  離型シート
４  粘着剤付き保護フィルム
ａ  超過サイズ
【図１】
0004974261.tif 000002
【図２】
0004974261.tif 000003
【図３】
0004974261.tif 000004
【図４】
0004974261.tif 000005
【図５】
0004974261.tif 000006
【図６】
0004974261.tif 000007
【図７】
0004974261.tif 000008